(57)【要約】【課題】沈殿池における浮遊スカムを水面位置に滞留させず、確実に掻き寄せ、かつ掻き上げ、排水量を少なくして排出することができるスカム掻上排出装置を提供すること。【解決手段】スカム掻寄用フライト２５が前進する時、スカム掻寄用フライト２５を配したスカム掻寄用フライトビーム２の先端に揺動可能に取り付けたスカム掻上用アーム２４に配したスカム掻上用フライト２５が、水面上のスカムを掻き寄せながら、上向きに傾斜したスカム掻上用ガイド板４上を移動して、掻き寄せたスカムをスカム排出トラフ３に排出するようにする。【選択図】  図１
2004290770.tif 000002
【特許請求の範囲】
【請求項１】
往復運動をするように構成した駆動装置により駆動される汚泥掻寄機に付設されたスカム掻上排出装置において、スカム掻寄用フライトが前進する時、スカム掻寄用フライトを配したスカム掻寄用フライトビームの先端に揺動可能に取り付けたスカム掻上用アームに配したスカム掻上用フライトが、水面上のスカムを掻き寄せながら、上向きに傾斜したスカム掻上用ガイド板上を移動して、掻き寄せたスカムをスカム排出トラフに排出するように構成したことを特徴とするスカム掻上排出装置。
【請求項２】
スカム掻寄用フライトの前進開始位置において、スカム掻上用フライトの下端位置が水面下で、かつスカム掻上用ガイド板の先端位置より上になるよう位置決めするストッパを設けたことを特徴とする請求項１記載のスカム掻上排出装置。
【請求項３】
スカム掻上用フライトを配したスカム掻上用アームを、スカム掻上用ガイド板の傾斜とスカム掻上用アームの自重にて揺動するように構成したことを特徴とする請求項１又は２記載のスカム掻上排出装置。
【発明の詳細な説明】
【０００１】
【発明の属する技術分野】
本発明は、スカム掻上排出装置、特に、沈殿池における浮遊スカムを水面位置に滞留させず、確実に掻き寄せ、かつ掻き上げ、排水量を少なくして排出するようにしたスカム掻上排出装置に関するものである。
【０００２】
【従来の技術】
従来、沈殿池設備において設置されるチェーンフライト式汚泥掻寄機においては、そのフライトが、往路を移動する際、槽底に沈殿した汚泥を汚泥ピット側に掻き寄せるとともに、水面位置の復路側を移動する際、水面に浮遊するスカムを、該フライトによりスカムスキマの近辺まで送り、かつスカムスキマを傾転させ、スカムスキマによる呑み込み水流により、掻き寄せスカムを共に排出するようにしている。
【０００３】
【発明が解決しようとする課題】
ところで、上記従来のチェーンフライト式汚泥掻寄機のフライトによりスカムの掻き寄せ排出する場合、スカムスキマ側に掻き寄せた水面に浮遊するスカムを、スカムスキマを傾転させることにより発生する呑み込み水流にて排出する必要があるため、スカムの大きさ、呑み込み流速によっては、該スカムが完全に排出されず、掻き寄せられた箇所で滞留することがあり、またこの滞留したスカムの除去作業が必要となり、さらにはスカムスキマの傾転時間により呑み込み水量が多量となり、この多量の排水とスカムとの分離作業が必要となるという問題があった。
【０００４】
本発明は、上記従来のスカム掻上排出装置の有する問題点に鑑み、沈殿池における浮遊スカムを水面位置に滞留させず、確実に掻き寄せ、かつ掻き上げ、排水量を少なくして排出することができるスカム掻上排出装置を提供することを目的とする。
【０００５】
【課題を解決するための手段】
上記目的を達成するため、本発明のスカム掻上排出装置は、往復運動をするように構成した駆動装置により駆動される汚泥掻寄機に付設されたスカム掻上排出装置において、スカム掻寄用フライトが前進する時、スカム掻寄用フライトを配したスカム掻寄用フライトビームの先端に揺動可能に取り付けたスカム掻上用アームに配したスカム掻上用フライトが、水面上のスカムを掻き寄せながら、上向きに傾斜したスカム掻上用ガイド板上を移動して、掻き寄せたスカムをスカム排出トラフに排出するように構成したことを特徴とする。
【０００６】
このスカム掻上排出装置は、スカム掻寄用フライトが前進する時、スカム掻寄用フライトを配したスカム掻寄用フライトビームの先端に揺動可能に取り付けたスカム掻上用アームに配したスカム掻上用フライトが、水面上のスカムを掻き寄せながら、上向きに傾斜したスカム掻上用ガイド板上を移動して、掻き寄せたスカムをスカム排出トラフに排出するように構成しているので、水面より出た位置でスカムと汚水とは分離され、スカムとスカムに付着する少量の汚水のみがスカム掻上用ガイド板の基端側に隣接配設したスカム排出トラフヘ排出される。
【０００７】
この場合において、スカム掻寄用フライトの前進開始位置において、スカム掻上用フライトの下端位置が水面下で、かつスカム掻上用ガイド板の先端位置より上になるよう位置決めするストッパを設けることができる。
【０００８】
これにより、スカム掻上用フライトを前後進させるだけで、常にスカム掻上用フライトはスカム掻上用ガイド板面に沿って移動するようになり、構造を簡易にして水面に浮遊するスカムの掻上除去を確実に行うことができる。
【０００９】
また、スカム掻上用フライトを配したスカム掻上用アームを、スカム掻上用ガイド板の傾斜とスカム掻上用アームの自重にて揺動するように構成することができる。
【００１０】
これにより、特に駆動源を設けることなくスカム掻上用フライトを配したスカム掻上用アームを揺動させることができ、機構を簡略化することができる。
【００１１】
【発明の実施の形態】
以下、本発明のスカム掻上排出装置の実施の形態を図面に基づいて説明する。
【００１２】
図１〜図３は、本発明のスカム掻上排出装置の１実施例を示す。
沈殿池設備として、沈殿池１に設置される汚泥掻寄機Ｋに付設し、該汚泥掻寄機Ｋの駆動装置として駆動装置Ｍを用い、該駆動装置Ｍの駆動により槽底に配設した汚泥掻寄用フライトＦと、水面位置に配設したスカム掻寄装置Ａとが往復移動するように、かつ同時に駆動するように構成する。
駆動装置Ｍは、沈殿池１の長手方向に沿って所定の距離Ｌを往復する往復運動と、この往復運動に追従して予め定めた高さＨを上下動する上下運動とを組み合わせた往復運動をするように構成するもので、これは特に限定されるものではないが、例えば、図４及び図５に示すように、汚水処理槽１の中央部より前方、すなわち、汚泥ピットＰ側の水面上に設置した本体フレーム５に、略水平に配設した内ガイドレール５１、この内ガイドレール５１の中心に等間隔に突設した多数のピンラック５２及び内ガイドレール５１の外周を囲むように長円形い配設した外ガイドレール５３からなる長円形状のガイドレール５０と、このピンラック５２に噛合して内ガイドレール５１及び外ガイドレール５３に案内されてガイドレール５０に沿って周回移動（略矩形運動）するピンホイル５４と、ピンホイル５４の軸５５に取り付けた原動機５６によりピンホイル５４を駆動し、さらにこの軸５５に、スカム掻寄装置Ａと、汚泥掻寄機Ｋとを吊垂支持杆５７にて吊垂するようにして支持しつつ駆動するようにする。
【００１３】
そして、この汚泥掻寄用フライトＦを、駆動装置Ｍにより槽底に沿っての移動と昇降とを組み合わせて移動させるようにするとともに、該汚泥掻寄用フライトＦが汚泥ピットＰ側に向かって移動する際、沈殿汚泥を掻き寄せ、復帰する際は汚泥掻寄用フライトＦを槽底より高さＨだけ上昇させ、沈殿汚泥を反ピット側へは掻き寄せないようにし、また駆動装置Ｍの駆動により汚泥掻寄用フライトＦが復路を移動する際、スカム掻寄装置Ａに配設したスカム掻寄用フライトを上昇するように揺動させ、水面に浮遊しているスカムをスカム排出トラフ３側へ掻き寄せ排出し、復路側を移動する際は、該スカム掻寄用フライトを水面下に沈降させるようにする。
【００１４】
本発明のスカム掻上排出装置Ｂは、このスカム掻寄装置Ａに付設したものである。
このスカム掻上排出装置Ｂは、図１及び図２に示すように、往復運動をするように構成した駆動装置Ｍにより駆動され、かつ定間隔にスカム掻寄用フライト２１を複数個配設したスカム掻寄用のフライトビーム２の先端に、ブラケット２２に支持される枢軸２３を介してスカム掻上用アーム２４を、フライトビーム２の前方向に突出し、かつ上下方向に揺動可能に支持し、このスカム掻上用アーム２４の先端にスカム掻上用フライト２５を取り付け、さらには、フライトビーム２の先端に、該スカム掻上用アーム２４が、詳しくは、スカム掻上用フライト２５の下端面がスカム掻上用ガイド板４の位置より下方にならないように支持するストッパ２６を突設して構成する。
【００１５】
スカム掻上用ガイド板４は、スカム掻寄用フライト２１により掻き集められ、スカム排出トラフ３の近傍の水面で浮遊しているスカムを、スカム排出トラフ３へ掻き上げ、排出できるように傾斜して配設されるもので、その先端側水面下となり、基端側を水面より少し上方となるように傾斜し、このスカム掻上用ガイド板４の基端側と隣接して配設されたスカム排出トラフ３と連設されるように配設される。
これにより、スカム掻上用ガイド板４上をスカム掻上用フライト２５にて掻き上げられたスカムは、スカム掻上用ガイド板４の基端縁より自然とスカム排出トラフ３内に排出されるようにする。
【００１６】
このスカム掻上用ガイド板４の先端側は、水面より少し沈んだ位置にあり、また基端側を水面より上位となる状態とし、これにより水面に浮遊するスカムが、スカム掻上用フライト２５の前進と揺動動作とにより、確実にスカム掻上用ガイド板４の上へ汚水と共に掻き上げられるとともに、汚水はこの傾斜したスカム掻上用ガイド板４の上面をスカムと共に移動する際、流れ落ちるようになって元の沈殿池１内に戻るように汚水とスカムとの分離が行われ、スカムとこのスカムに付着する少量の汚水のみが、該スカム掻上用ガイド板上を摺動移動されるようになり、そしてスカム掻上用ガイド板４の基端縁より、このスカム掻上用ガイド板４に隣接配置されたスカム排出トラフ３内へ落下、排出されるようにする。
なお、スカム掻上用フライト２５の最前進位置では、図１の鎖線にて示すように、スカム掻上用フライト２５が、スカム掻上用ガイド板４の基端縁位置に達するようにし、これによりスカム掻上用ガイド板４上に掻き上げたスカムを、確実にスカム排出トラフ３内へ落下、排出するようにする。
【００１７】
【発明の効果】
本発明のスカム掻上排出装置によれば、スカム掻寄用フライトが前進する時、スカム掻寄用フライトを配したスカム掻寄用フライトビームの先端に揺動可能に取り付けたスカム掻上用アームに配したスカム掻上用フライトが、水面上のスカムを掻き寄せながら、上向きに傾斜したスカム掻上用ガイド板上を移動して、掻き寄せたスカムをスカム排出トラフに排出するように構成しているので、水面より出た位置でスカムと汚水とは分離され、スカムとスカムに付着する少量の汚水のみがスカム掻上用ガイド板の基端側に隣接配設したスカム排出トラフヘ排出されるため、スカム掻上用フライトを前後進させるだけで確実に掻き寄せられたスカムの掻上排出が強制的に行われ、スカムの滞留が解消されるので、滞留スカムの除去作業がなくなり、維持管理が容易になる。
また、排水量を少なくしてスカムを排出することができるので、回収したスカムの後処理が簡易となる。
【００１８】
また、スカム掻寄用フライトの前進開始位置において、スカム掻上用フライトの下端位置が水面下で、かつスカム掻上用ガイド板の先端位置より上になるよう位置決めするストッパを設けることにより、スカム掻上用フライトを前後進させるだけで、常にスカム掻上用フライトはスカム掻上用ガイド板面に沿って移動するようになり、構造を簡易にして水面に浮遊するスカムの掻上除去を確実に行うことができる。
【００１９】
また、スカム掻上用フライトを配したスカム掻上用アームを、スカム掻上用ガイド板の傾斜とスカム掻上用アームの自重にて揺動するように構成することにより、特に駆動源を設けることなくスカム掻上用フライトを配したスカム掻上用アームを揺動させることができ、機構を簡略化することができる。
【図面の簡単な説明】
【図１】本発明のスカム掻上排出装置の１実施例を示す正面図である。
【図２】同平面図である。
【図３】同スカム掻上排出装置を配設した沈殿池の全体を示す正面縦断面図である。
【図４】駆動装置の側面縦断面図である。
【図５】同正面図である。
【符号の説明】
１    沈殿池
２    スカム掻寄用フライトビーム
２１  スカム掻寄用フライト
２２  ブラケット
２３  枢軸
２４  スカム掻上用アーム
２５  スカム掻上用フライト
２６  ストッパ
３    スカム排出トラフ
４    スカム掻上用ガイド板
Ａ    スカム掻寄装置
Ｂ    スカム掻上排出装置
Ｍ    駆動装置
Ｆ    汚泥掻寄用フライト
Ｓ    スカム掻寄装置
Ｋ    汚泥掻寄機
Ｐ    汚泥ピット
【図１】
2004290770.tif 000003
【図２】
2004290770.tif 000004
【図３】
2004290770.tif 000005
【図４】
2004290770.tif 000006
【図５】
2004290770.tif 000007